(57)【要約】【課題】通気性を確保しつつ、薬剤の曝露の可能性を低減できるエアロゾル粒子捕集装置及びバイアルアダプタを提供する。【解決手段】本発明のエアロゾル粒子捕集装置は、バイアルアダプタが備える通気フィルタを通過したエアロゾル粒子を捕集するためのエアロゾル粒子捕集装置であって、前記通気フィルタを通過した前記エアロゾル粒子が流れるエアロゾル粒子捕集用流路を設け、前記エアロゾル粒子捕集用流路に、該流路が屈折又は分岐する流路変化部を設け、前記流路変化部において、屈折又は分岐前後の線条流路同士がいずれも互いに直角以下の角度をなすことを特徴とする。【選択図】図５
2016174864.tif 000002
【特許請求の範囲】
【請求項１】
バイアルアダプタが備える通気フィルタを通過したエアロゾル粒子を捕集するためのエアロゾル粒子捕集装置であって、
前記通気フィルタを通過した前記エアロゾル粒子が流れるエアロゾル粒子捕集用流路を設け、
前記エアロゾル粒子捕集用流路に、該流路が屈折又は分岐する流路変化部を設け、
前記流路変化部において、屈折又は分岐前後の線条流路同士がいずれも互いに直角以下の角度をなすことを特徴とするエアロゾル粒子捕集装置。
【請求項２】
前記流路変化部に、前記エアロゾル粒子の直進方向に凹む流路凹部を設けた、請求項１に記載のエアロゾル粒子捕集装置。
【請求項３】
前記流路変化部に、前記エアロゾル粒子を捕集可能な捕集材を設けた、請求項１又は請求項２に記載のエアロゾル粒子捕集装置。
【請求項４】
前記バイアルアダプタが備える前記通気フィルタを収容するフィルタハウジングに着脱可能な係合部を備える、請求項１乃至請求項３のいずれか一項に記載のエアロゾル粒子捕集装置。
【請求項５】
前記バイアルアダプタが備える前記通気フィルタを収容するフィルタハウジングと一体に設けられている、請求項１乃至請求項４のいずれか一項に記載のエアロゾル粒子捕集装置。
【請求項６】
請求項１乃至請求項５のいずれか一項に記載のエアロゾル粒子捕集装置を備えるバイアルアダプタ。
【発明の詳細な説明】
【技術分野】
【０００１】
本発明は、バイアルアダプタが備える通気フィルタを通過したエアロゾル粒子を捕集するためのエアロゾル粒子捕集装置、及びそのようなエアロゾル粒子捕集装置を備えるバイアルアダプタに関する。
【背景技術】
【０００２】
従来、バイアル瓶を用いて薬剤を調合する際に、バイアルアダプタをバイアル瓶に取り付けて調合を行う方法が知られている。例えば特許文献１に記載のバイアルアダプタは、バイアル瓶の内部と外部との圧力差を低減するための通気路と、バイアル瓶の内部から薬剤が飛び出すことやバイアル瓶の外部から細菌や粒子状物質等が内部に流入することを防ぐための通気フィルタと、バイアル瓶の内部で揮発した薬剤のエアロゾル粒子が通気路を介してバイアル瓶の外部に排出されることを防ぐためのエアロゾル粒子捕集用のフィルタとを備える。
【先行技術文献】
【特許文献】
【０００３】
【特許文献１】特表２０１０−５０６６５９号公報
【発明の概要】
【発明が解決しようとする課題】
【０００４】
しかしながら、揮発した薬剤のエアロゾル粒子の一部は、バイアルアダプタが備えるエアロゾル粒子捕集用のフィルタを通過して、バイアル瓶の外部に排出される場合がある。バイアルアダプタで調合している薬剤が被曝性の薬剤である場合、例えば薬剤を調合している医療従事者が、排出されたエアロゾル粒子により被曝するおそれがある。また、孔径の小さいフィルタを用いることやフィルタ体積を大きくしてエアロゾル粒子を捕集しようとすると、通気性が低下することでバイアル瓶の内部と外部の圧力差が均等になるまでに時間がかかり、使い勝手が悪くなるおそれがある。
【０００５】
従って、本発明は、上記のような従来技術の問題点に鑑みてなされたもので、その目的は、通気性を確保しつつ、薬剤の曝露の可能性を低減するエアロゾル粒子捕集装置及びバイアルアダプタを提供することにある。
【課題を解決するための手段】
【０００６】
本発明のエアロゾル粒子捕集装置は、バイアルアダプタが備える通気フィルタを通過したエアロゾル粒子を捕集するためのエアロゾル粒子捕集装置であって、前記通気フィルタを通過した前記エアロゾル粒子が流れるエアロゾル粒子捕集用流路を設け、前記エアロゾル粒子捕集用流路に、該流路が屈折又は分岐する流路変化部を設け、前記流路変化部において、屈折又は分岐前後の線条流路同士がいずれも互いに直角以下の角度をなすことを特徴とする。
【０００７】
ここで、本発明のエアロゾル粒子捕集装置には、前記流路変化部に、前記エアロゾル粒子の直進方向に凹む流路凹部を設けることが好ましい。
【０００８】
また、本発明のエアロゾル粒子捕集装置には、前記流路変化部に、前記エアロゾル粒子を捕集可能な捕集材を設けることが好ましい。
【０００９】
また、本発明のエアロゾル粒子捕集装置は、前記バイアルアダプタが備える前記通気フィルタを収容するフィルタハウジングに着脱可能な係合部を備えていてもよい。
【００１０】
さらに、本発明のエアロゾル粒子捕集装置は、前記バイアルアダプタが備える前記通気フィルタを収容するフィルタハウジングと一体に設けられていてもよい。
【００１１】
また、本発明のバイアルアダプタは、前述した本発明のいずれかのエアロゾル粒子捕集装置を備える。
【発明の効果】
【００１２】
本発明によれば、通気性を確保しつつ、薬剤の曝露の可能性を低減できる。
【図面の簡単な説明】
【００１３】
【図１】本発明の一実施形態に係るエアロゾル粒子捕集装置を備えるバイアルアダプタと、該バイアルアダプタが適用されるバイアル瓶の一例とを、取付け前の状態で模式的に示す図である。
【図２】図１のバイアル瓶の断面図である。
【図３】図１のバイアルアダプタ本体の断面図である。
【図４】図１のエアロゾル粒子捕集装置の外観斜視図である。
【図５】図１のエアロゾル粒子捕集装置の断面図である。
【図６】図１のエアロゾル粒子捕集装置の分解組立図である。
【図７】図１のバイアルアダプタの一変形例の断面図である。
【発明を実施するための形態】
【００１４】
以下、図を参照して、本発明の一実施形態に係るエアロゾル粒子捕集装置を備えるバイアルアダプタについて詳細に例示説明する。各図において共通の部材には、同一の符号を付している。
【００１５】
図１は、本発明の一実施形態に係るエアロゾル粒子捕集装置を備えるバイアルアダプタと、該バイアルアダプタが適用されるバイアル瓶の一例とを、取付け前の状態で模式的に示す図である。バイアル瓶３００を用いて、例えば薬剤の調合を行う場合、バイアル瓶３００の上部の口部３１０に、バイアルアダプタ１が取り付けられる。バイアルアダプタ１は、バイアルアダプタ本体２００とエアロゾル粒子捕集装置１００とを備える。また、本実施形態では、バイアルアダプタ本体２００が備えるフィルタハウジング２１０に、エアロゾル粒子捕集装置１００が取り付けられる。なお、エアロゾル粒子とは、空気等の気体中に懸濁された固体又は液体粒子を意味する。本実施形態に係るエアロゾル粒子捕集装置１００は、抗がん剤の調剤時に発生するエアロゾル粒子を捕集するのに特に適している。
【００１６】
バイアル瓶３００は、内部に薬剤を収容する。収容された薬剤は、バイアル瓶３００の内部で調合される。調合される薬剤は、粉状若しくは粒状の固体、又は液体である。薬剤は、固体である場合、溶解液等に溶解されるようにして調合され、液体である場合、希釈用の他の液体（例えば蒸留水等）と混合されるようにして調合される。バイアル瓶３００内で調合された薬剤は、バイアル瓶３００からシリンジにより吸い出された後、使用に供される。
【００１７】
図２は、図１のバイアル瓶３００の模式的な断面図である。図２に示すように、バイアル瓶３００は、容器本体３２０と、封止部材３３０と、口部３１０及び封止部材３３０の外周を覆うキャップ３４０とを備える。
【００１８】
容器本体３２０は、例えば硬質なガラス又は樹脂等の材料により、有底円筒形状に形成されている。容器本体３２０は、内部の視認性を確保するために、実質的に透明又は半透明になっている。
【００１９】
封止部材３３０は、口部３１０を気密に封止する。封止部材３３０は、例えばゴム栓等の弾性部材により構成される。封止部材３３０は、封止部３３１とフランジ部３３２とを有する。封止部３３１の外径は、口部３１０の内径と同じか又は口部３１０の内径よりもやや大きくなっており、これによりバイアル瓶３００を確実に封止する。フランジ部３３２の外径は、口部３１０の内径よりも大きくなっており、封止部材３３０がバイアル瓶３００の内部に入り込むことを防止する。
【００２０】
キャップ３４０は、例えばアルミニウム等の軟金属により構成され、バイアル瓶３００の上面側には、口部３１０の内径よりも小さい径の円形の開口３４１が形成されている。つまり、開口３４１から上部に封止部材３３０が露出している。キャップ３４０は、封止部材３３０のフランジ部３３２の外周面及び上面縁部、並びに口部３１０の外周面及び下面縁部を覆うことにより、封止部材３３０をバイアル瓶３００に固定している。
【００２１】
バイアルアダプタ本体２００は、接続ポート２２０に接続されたシリンジをバイアル瓶３００に接続する。バイアルアダプタ本体２００によりバイアル瓶３００とシリンジとが接続された状態で、バイアル瓶３００内で調合された薬剤を、接続ポート２２０に接続されたシリンジに注入できる。
【００２２】
図３は、図１のバイアルアダプタ本体２００の模式的な断面図であり、バイアルアダプタ本体２００が備えるアーム部２３０の断面を含む断面図である。バイアルアダプタ本体２００は、一端側（図３における上部）にシリンジを接続するための接続ポート２２０が設けられ、接続ポート２２０から下方に外形が円柱形状の本体ハウジング２４０が延在している。本体ハウジング２４０からは、延在方向に直交する方向にアーム部２３０が延びており、アーム部２３０の先端には、フィルタハウジング２１０が形成されている。本体ハウジング２４０において、接続ポート２２０が存在する一端側とは反対の他端側には、バイアル瓶３００に係合する係合部２５０と、バイアル瓶３００への係合時に封止部材３３０に穿刺されてバイアル瓶３００の内部に挿入される針部２６０が形成されている。
【００２３】
フィルタハウジング２１０は、中空の扁平な円柱形状であり、通気フィルタ２１１を内部に収容する。フィルタハウジング２１０は、アーム部２３０から連続して構成されており、アーム部２３０の反対側には円柱形状のフィルタハウジング２１０の中心軸線と同軸に開口２１２が設けられている。また、フィルタハウジング２１０には、開口２１２の周囲に、エアロゾル粒子捕集装置１００への嵌込み用の凸部２１３が形成されている。
【００２４】
接続ポート２２０の外面には螺合溝２２１が設けられており、螺合溝２２１が、シリンジの先端に設けられた螺合溝と螺合することにより、接続ポート２２０とシリンジとが接続される。接続ポート２２０には、シリンジと接続された場合にシリンジとバイアルアダプタ本体２００との間で液体を流通させるための開口２２２が設けられている。
【００２５】
接続ポート２２０は、内部に弁体２２３を備える。弁体２２３は、弾性変形可能な弾性部材で構成されており、開口２２２側の頭部２２４と、係合部２５０側の胴部２２５とを有する。弁体２２３の内部は、薬剤流路２８０の一部を構成する。頭部２２４において、開口２２２を塞ぐ先端２２６には、スリット２２７が形成されている。胴部２２５は、蛇腹状をなす筒状体で構成されており、弁体２２３の頭部２２４を係合部２５０側から開口２２２側に付勢している。接続ポート２２０にシリンジが接続されると、頭部２２４に対して係合部２５０側への力が加わり、スリット２２７が開くことによって、薬剤流路２８０とシリンジ内部とが連通する。
【００２６】
係合部２５０は、爪部２５１を有する。爪部２５１がバイアル瓶３００の口部３１０の周囲を覆うキャップ３４０に係合することにより、バイアルアダプタ本体２００はバイアル瓶３００に接続される。
【００２７】
針部２６０は、略円錐形状の鋭利な先端部２６１を有する。先端部２６１は、バイアルアダプタ本体２００がバイアル瓶３００に接続される際に、封止部材３３０を貫通し、バイアル瓶３００の内部に進入する。先端部２６１の先端側には、開口２６２が形成される。また、針部２６０は先端部２６１に隣接するスロット２６５を有し、スロット２６５上に開口２６３が形成される。
【００２８】
バイアルアダプタ本体２００は、開口２６２から、針部２６０及びアーム部２３０の内部を通って開口２１２まで通じる通気路２７０を有する。通気路２７０はバイアル瓶３００の内部と外部との間で気体を流通させるため、バイアル瓶３００の内部の圧力と外部の圧力とが同一に保たれる。バイアル瓶３００の内部と外部との間で気体が流通する場合、当該気体は、通気フィルタ２１１を通過する。従って、バイアル瓶３００の内部から薬剤が飛び出すことやバイアル瓶３００の外部から細菌や粒子状物質が内部に流入することが防止される。通気路２７０は、例えば円形の断面を有する。
【００２９】
また、バイアルアダプタ本体２００は、開口２６３から、針部２６０及び本体ハウジング２４０の内部を通って開口２２２まで通じる薬剤流路２８０を有する。バイアルアダプタ本体２００によりシリンジとバイアル瓶３００とを接続した状態で、シリンジとバイアル瓶３００との間で薬液等の液体を移動させる場合、かかる液体は、薬剤流路２８０を通過して、シリンジとバイアル瓶３００との間を移動する。薬剤流路２８０は、例えば円形の断面を有する。
【００３０】
次に、エアロゾル粒子捕集装置１００について、図４から図６を用いて説明する。図４は、図１のエアロゾル粒子捕集装置１００の外観斜視図である。図５は、図１のエアロゾル粒子捕集装置１００の断面図である。図５は、特に、エアロゾル粒子捕集装置１００が有するエアロゾル粒子捕集用流路の断面を含む断面図であり、エアロゾル粒子捕集装置１００がフィルタハウジング２１０に係合した状態におけるフィルタハウジング２１０も示している。図６は、図１のエアロゾル粒子捕集装置１００の分解組立図である。
【００３１】
エアロゾル粒子捕集装置１００は、バイアルアダプタ本体２００が備える通気フィルタ２１１を通過したエアロゾル粒子を捕集する。図６に示すように、本実施形態に係るエアロゾル粒子捕集装置１００は、嵌合部材１４０と、上流側ハウジング１２０と、下流側内ハウジング１３０と、下流側外ハウジング１１１とを備える。また、エアロゾル粒子捕集装置１００は、図５に示すように、エアロゾル粒子捕集用流路１１３を備えるエアロゾル粒子捕集部１１０と、該エアロゾル粒子捕集部１１０をフィルタハウジング２１０に係合させる係合部１２２とを有する。エアロゾル粒子捕集部１１０は、上流側ハウジング１２０と、下流側内ハウジング１３０と、下流側外ハウジング１１１とによって構成されている。また、係合部１２２は、上流側ハウジング１２０に設けられた複数（本例では５つ）の爪部として構成されている。
【００３２】
係合部１２２がフィルタハウジング２１０に係合することにより、エアロゾル粒子捕集装置１００がフィルタハウジング２１０に接続された状態において、フィルタハウジング２１０の開口２１２と、エアロゾル粒子捕集装置１００の嵌合部材１４０に設けられた開口１４１とが連通する。そのため、フィルタハウジング２１０内部の通気フィルタ２１１を通過したエアロゾル粒子を含む気体が開口２１２から開口１４１を介して、エアロゾル粒子捕集部１１０内部のエアロゾル粒子捕集用流路１１３に流れる。
【００３３】
エアロゾル粒子捕集部１１０は、上流側の第１の面１１０ａの中央に形成された第１の開口１１２ａと、下流側の第２の面１１０ｂの中央に形成された第２の開口１１２ｂとの間に形成されたエアロゾル粒子捕集用流路１１３を有している。エアロゾル粒子捕集用流路１１３には、該流路１１３が屈折又は分岐する流路変化部１１４ａ、１１４ｂ、１１４ｃが設けられている。本実施形態のエアロゾル粒子捕集装置１００のエアロゾル粒子捕集用流路１１３には、３段階の流路変化部１１４ａ、１１４ｂ、１１４ｃが設けられている。なお、エアロゾル粒子捕集用流路１１３は、本実施形態では、細長い流路として構成される線条流路１１３ａ、１１３ｂ、１１３ｃ及び１１３ｄからなっている。流路変化部１１４ａ、１１４ｂ、１１４ｃにおいて、屈折又は分岐前後の線条流路１１３ａ、１１３ｂ、１１３ｃ、１１３ｄ同士は、いずれも、互いに直角以下の角度をなしている。
【００３４】
図５に示すように、第１の開口１１２ａからエアロゾル粒子捕集部１１０内部の線条流路１１３ａに流れ込んだ気体は、円柱形状のエアロゾル粒子捕集部１１０の中心軸線Ａに平行に流れ、エアロゾル粒子捕集部１１０の内部の中心軸線Ａ上に存在する第１の流路変化部（１段目の流路変化部）１１４ａの壁面に衝突する。本実施形態では、第１の流路変化部１１４ａにおいて、エアロゾル粒子捕集用流路１１３は２方向（図５では上下方向）に分岐している。分岐前の線条流路１１３ａと、分岐後の一方の線条流路１１３ｂとは、互いに直角をなしている。また、分岐前の線条流路１１３ａと、分岐後の他方の線条流路１１３ｂとは、互いに直角をなしている。また、分岐後の一方の線条流路１１３ｂ、１１３ｃ、１１３ｄと、分岐後の他方の線条流路１１３ｂ、１１３ｃ、１１３ｄとは、互いに中心軸線Ａに対して対称に構成されている。気体は第１の流路変化部１１４ａの壁面に衝突した後、線条流路１１３ｂに沿ってエアロゾル粒子捕集部１１０の径方向に流れる。
【００３５】
分岐した線条流路１１３ｂを流れる気体は、次に、下流側外ハウジング１１１の内壁面に存在する第２の流路変化部１１４ｂ（２段目の流路変化部）の壁面に衝突する。本実施形態では、第２の流路変化部１１４ｂにおいて、エアロゾル粒子捕集用流路１１３は屈折している。第２の流路変化部１１４ｂにおいて、屈折前の線条流路１１３ｂと、屈折後の線条流路１１３ｃとは、互いに直角以下の角度（本例では略７５°）をなしている。屈折後の線条流路１１３ｃは、第２の面１１０ｂ側に延びている。気体は第２の流路変化部１１４ｂの壁面に衝突した後、線条流路１１３ｃに沿って第２の面１１０ｂ側に流れる。
【００３６】
第２の流路変化部１１４ｂで屈折した線条流路１１３ｃを流れる気体は、次に、下流側外ハウジング１１１の第２の面１１０ｂ側の内壁面に存在する第３の流路変化部１１４ｃ（３段目の流路変化部）の壁面に衝突する。本実施形態では、第３の流路変化部１１４ｃにおいて、エアロゾル粒子捕集用流路１１３は屈折している。第３の流路変化部１１４ｃにおいて、屈折前の線条流路１１３ｃと、屈折後の線条流路１１３ｄとは、直角をなしている。屈折後の線条流路１１３ｄは、中心軸線Ａに向かって延びている。気体は、第３の流路変化部１１４ｃの壁面に衝突した後、線条流路１１３ｄに沿って中心軸線Ａに向かって流れる。
【００３７】
そして、２つの線条流路１１３ｄを流れる気体は、中心軸線Ａの近傍で合流し、第２の開口１１２ｂからエアロゾル粒子捕集装置１００の外部に排出される。
【００３８】
このように、第１、第２及び第３の流路変化部１１４ａ、１１４ｂ及び１１４ｃにおいて、屈折又は分岐前後の線条流路１１３ａ、１１３ｂ、１１３ｃ、１１３ｄ同士がいずれも互いに直角以下の角度をなしていることによって、気体は、第１、第２及び第３の流路変化部１１４ａ、１１４ｂ及び１１４ｃにおいて壁面に衝突し、その衝突後にエアロゾル粒子捕集用流路１１３に沿って進行方向を変化させる。また、気体中のエアロゾル粒子は、気体の直進方向に進むことによって壁面に衝突する。壁面に衝突したエアロゾル粒子は、当該壁面に付着する。つまり、気体が流路変化部１１４ａ、１１４ｂ及び１１４ｃの壁面に衝突するたびに、気体に含まれるエアロゾル粒子が壁面に付着するため、気体に含まれるエアロゾル粒子の量が少なくなる。このようにして、第２の開口１１２ｂから排出される気体の単位体積当たりに含まれるエアロゾル粒子は、第１の開口１１２ａから流れ込む気体の単位体積当たりに含まれるエアロゾル粒子よりも少なくなる。そのため、エアロゾル粒子捕集装置１００によれば、排出される気体による医療従事者等に対する薬剤の曝露の可能性を低減することができる。
【００３９】
本実施形態のエアロゾル粒子捕集装置１００には、エアロゾル粒子捕集用流路１１３の第１の流路変化部１１４ａ及び第３の流路変化部１１４ｃに、エアロゾル粒子の直進方向に凹む流路凹部１１５ａ及び１１５ｃが設けられている。これにより、第１の流路変化部１１４ａ及び第３の流路変化部１１４ｃでは、エアロゾル粒子は、それぞれ流路凹部１１５ａ及び１１５ｃに衝突し、流路凹部１１５ａ及び１１５ｃの壁面に付着する。そのため、壁面に付着したエアロゾル粒子は、気体の流れに沿ってエアロゾル粒子捕集用流路１１３の下流側に流れにくくなり、第２の開口１１２ｂから排出される気体の単位体積当たりに含まれるエアロゾル粒子は、さらに減少しやすくなる。
【００４０】
本実施形態のエアロゾル粒子捕集装置１００には、エアロゾル粒子捕集用流路１１３の第１、第２及び第３の流路変化部１１４ａ、１１４ｂ及び１１４ｃに、エアロゾル粒子を捕集可能な捕集材１１６が設けられている。捕集材１１６は、エアロゾル粒子を吸着等により捕集可能な物質を用いて構成されており、例えば、捕集材１１６として、活性炭、帯電不織布、ゼオライト、カーボンナノチューブ又はメソポーラスシリカ等を使用することができる。エアロゾル粒子捕集装置１００が捕集材１１６を有することにより、第１、第２及び第３の流路変化部１１４ａ、１１４ｂ及び１１４ｃにおいて、エアロゾル粒子は捕集材１１６に捕集される。そのため、第１、第２及び第３の流路変化部１１４ａ、１１４ｂ及び１１４ｃにおいて、エアロゾル粒子がさらに捕集されやすくなり、第２の開口１１２ｂから排出される気体の単位体積当たりに含まれるエアロゾル粒子は、さらに減少しやすくなる。
【００４１】
なお、本実施形態において、前述した嵌合部材１４０、上流側ハウジング１２０、下流側内ハウジング１３０及び下流側外ハウジング１１１の各部材構成及び組立て要領は以下のとおりである。
【００４２】
嵌合部材１４０、上流側ハウジング１２０、下流側内ハウジング１３０及び下流側外ハウジング１１１は、円柱形状又は円筒形状をなしている。エアロゾル粒子捕集装置１００は、エアロゾル粒子がバイアルアダプタ本体２００から流れ込む上流側からこれらの各部材を順に、中心軸線Ａ上で組み立てることにより構成される。なお、エアロゾル粒子捕集装置１００は、本実施形態では、嵌合部材１４０、上流側ハウジング１２０、下流側内ハウジング１３０及び下流側外ハウジング１１１を嵌合によって組み付けることで構成しているが、接着剤や熱溶着等によって接合して構成してもよい。
【００４３】
下流側外ハウジング１１１は、有底円筒形状であり、底面１１７の中央には、第２の開口１１２ｂが形成されている。底面１１７の上流側の面には、中央の第２の開口１１２ｂから、半径方向に沿って円筒の内周壁面まで延在する溝部１１８ｂが形成されている。本実施形態では、２つの溝部１１８ｂが、一直線状に形成されている。溝部１１８ｂにおいて、第２の開口１１２ｂが存在する端部とは反対側の端部、すなわち円周壁面側の端部には、凹部１１８ａが形成されている。凹部１１８ａは、溝部１１８ｂよりも深くなっている。凹部１１８ａは、エアロゾル粒子捕集装置１００において流路凹部１１５ｃとして機能する。また、溝部１１８ｂは、下流側内ハウジング１３０の下流側の底面と合わさり線条流路１１３ｄを形成する。
【００４４】
下流側外ハウジング１１１は、円筒形状の外壁の内面側に、下流側内ハウジング１３０と係合するための係合溝１１９を備える。本実施形態では、下流側外ハウジング１１１は、４か所の係合溝１１９を円周に沿って等間隔に備える。また、下流側外ハウジング１１１の円筒形状の外壁は、外側の第１の外壁１５０ａと、内側の第２の外壁１５０ｂとにより構成される。第２の外壁１５０ｂは、第１の外壁１５０ａよりも上流側に突出している。
【００４５】
下流側内ハウジング１３０は、上流側に略円錐形状の窪みを有する円柱形状であり、上流側とは反対の下流側の底面は、平面になっている。下流側内ハウジング１３０の外径は、下流側外ハウジング１１１の第２の外壁１５０ｂの内径と等しくなっている。下流側内ハウジング１３０は、外周に下流側外ハウジング１１１と係合するための係合凸部１３１を備える。本実施形態では、下流側内ハウジング１３０は、４つの係合凸部１３１を、外周に沿って等間隔に備える。これにより、エアロゾル粒子捕集装置１００を組み立てる際に、係合凸部１３１が下流側外ハウジング１１１の係合溝１１９に係合する。下流側内ハウジング１３０が下流側外ハウジング１１１に係合された状態において、下流側内ハウジング１３０の下流側の面は、下流側外ハウジング１１１の底面１１７と密着する。
【００４６】
下流側内ハウジング１３０は、上流側の中央に円柱形状の凹部１３２を有する。凹部１３２の底面側部分は、エアロゾル粒子捕集装置１００において、流路凹部１１５ａとして機能する。また、下流側内ハウジング１３０は、凹部１３２から下流側内ハウジング１３０の上流側の面に沿って半径方向に延びる第１の溝部１３３ａを有する。第１の溝部１３３ａは、上流側ハウジング１２０の下流側の底面と合わさって線条流路１１３ｂを形成する。また、下流側内ハウジング１３０は、第１の溝部１３３ａにおける下流側内ハウジング１３０の外周側の終端部から、中心軸線Ａに平行な第２の溝部１３３ｂを有する。第２の溝部１３３ｂは、下流側外ハウジング１１１の第２の外壁１５０ｂと合わさって線条流路１１３ｃを形成する。
【００４７】
上流側ハウジング１２０は、外径が下流側外ハウジング１１１の外径と等しい有底円筒形状に形成されている。上流側ハウジング１２０の下流側は、下流側内ハウジング１３０の上流側の窪みに対応する略円錐形状になっている。上流側ハウジング１２０は、中央に、下流側内ハウジング１３０の凹部１３２と同径の第１の開口１１２ａを有する。第１の開口１１２ａは、凹部１３２の上流側部分と合わさって線条流路１１３ａを形成する。
【００４８】
また、上流側ハウジング１２０は、フィルタハウジング２１０の保持状態を維持するための係合部（爪部）１２２を有する。上流側ハウジング１２０の下流側の底部１２４の上流側には、嵌合部材１４０を嵌込み可能な凹部１２３が形成されている。また、底部１２４の下流側の面には、下流側外ハウジング１１１において突出した第２の外壁１５０ｂを係合するための溝が形成されている。
【００４９】
嵌合部材１４０は、外径が上流側ハウジング１２０の円筒形状部分の内径より僅かに小さい外径の扁平な円柱形状に形成されている。嵌合部材１４０は、下流側の面に、上流側ハウジング１２０の底部１２４の凹部１２３に嵌込まれる円柱形状の凸部を有する。また、嵌合部材１４０には、上流側の面に、フィルタハウジング２１０の凸部２１３を嵌込み可能な凹部１４２が形成されている。嵌合部材１４０は、中央に開口１４１を有する。
【００５０】
以上説明したように、本実施形態に係るエアロゾル粒子捕集装置１００は、バイアルアダプタ１が備える通気フィルタ２１１を通過したエアロゾル粒子を捕集するためのエアロゾル粒子捕集装置１００であって、通気フィルタ２１１を通過したエアロゾル粒子が流れるエアロゾル粒子捕集用流路１１３を設け、エアロゾル粒子捕集用流路１１３に、該流路１１３が屈折又は分岐する流路変化部１１４ａ、１１４ｂ、１１４ｃを設け、流路変化部１１４ａ、１１４ｂ、１１４ｃにおいて、屈折又は分岐前後の線条流路１１３ａ、１１３ｂ、１１３ｃ、１１３ｄ同士がいずれも互いに直角以下の角度をなすものである。
【００５１】
従って、本実施形態に係るエアロゾル粒子捕集装置１００によれば、通気フィルタ２１１を通過したエアロゾル粒子が、流路変化部１１４ａ、１１４ｂ、１１４ｃにおいて壁面に衝突し、当該壁面に付着する。そのため、第２の開口１１２ｂから排出される気体が単位体積当たりに含むエアロゾル粒子の量は、第１の開口１１２ａから流れ込む気体が単位体積当たりに含むエアロゾル粒子の量と比較して少なくなる。その結果、エアロゾル粒子捕集装置１００によれば、排出される気体による医療従事者等に対する薬剤の曝露の可能性を低減することができる。また、本実施形態に係るエアロゾル粒子捕集装置１００は、フィルタによってエアロゾル粒子を捕集するものではないため、通気性を損なうことなく確保できる。
【００５２】
また、本実施形態に係るエアロゾル粒子捕集装置１００には、エアロゾル粒子捕集用流路１１３の流路変化部１１４ａ、１１４ｃに、エアロゾル粒子の直進方向に凹む流路凹部１１５ａ、１１５ｃが設けられている。
【００５３】
従って、本実施形態に係るエアロゾル粒子捕集装置１００において、流路変化部１１４ａ、１１４ｃでは、エアロゾル粒子は流路凹部１１５ａ、１１５ｃに衝突し、流路凹部１１５ａ、１１５ｃの壁面に付着する。そのため、壁面に付着したエアロゾル粒子は、気体の流れに沿ってエアロゾル粒子捕集用流路１１３を流れにくくなり、第２の開口１１２ｂから排出される気体の単位体積当たりに含まれるエアロゾル粒子は、さらに減少しやすくなる。
【００５４】
また、本実施形態に係るエアロゾル粒子捕集装置１００には、エアロゾル粒子捕集用流路１１３の流路変化部１１４ａ、１１４ｂ、１１４ｃに、エアロゾル粒子を捕集可能な捕集材１１６が設けられている。
【００５５】
従って、本実施形態に係るエアロゾル粒子捕集装置１００では、流路変化部１１４ａ、１１４ｂ、１１４ｃにおいて、エアロゾル粒子は捕集材１１６に捕集される。そのため、流路変化部１１４ａ、１１４ｂ、１１４ｃにおいて、エアロゾル粒子がさらに捕集されやすくなり、第２の開口１１２ｂから排出される気体の単位体積当たりに含まれるエアロゾル粒子は、さらに減少しやすくなる。特に、本実施形態では、流路凹部１１５ａ、１１５ｃに捕集材１１６が設けられているため、エアロゾル粒子を効果的に捕集することが可能である。
【００５６】
また、本実施形態に係るエアロゾル粒子捕集装置１００は、バイアルアダプタ１が備える通気フィルタ２１１を収容するフィルタハウジング２１０に着脱可能な係合部１２２を備える。
【００５７】
従って、本実施形態に係るエアロゾル粒子捕集装置１００は、必要に応じてフィルタハウジング２１０に取り付けて使用することができる。
【００５８】
また、上記実施形態では、エアロゾル粒子捕集装置１００は、フィルタハウジング２１０に係合可能な係合部１２２を備えると説明したが、エアロゾル粒子捕集装置１００は、必ずしも係合部１２２を備えていなくてもよい。例えば、エアロゾル粒子捕集装置１００は、フィルタハウジング２１０と一体に設けられていてもよい。
【００５９】
図７は、図１のバイアルアダプタ１の一変形例の断面図であり、バイアルアダプタ本体２００と一体に形成されたエアロゾル粒子捕集装置４００を示す図である。つまり、図７に示すバイアルアダプタ２は、上記実施形態で示したエアロゾル粒子捕集装置１００を一体に備えている。図７において、上記実施形態と同様の部材には同一の符号を付している。図７に示すように、バイアルアダプタ２は、フィルタハウジング２１０と一体に形成されたエアロゾル粒子捕集部１１０を備える。上記実施形態におけるフィルタハウジング２１０の開口２１２とエアロゾル粒子捕集部１１０の第１の開口１１２ａとは、本変形例では１つの開口４１０として形成されている。従って、通気フィルタ２１１を通過したエアロゾルを含む気体は、開口４１０からエアロゾル粒子捕集部１１０に流れ込む。エアロゾル粒子捕集部１１０におけるエアロゾル粒子の捕集要領は、上記実施形態と同様である。
【００６０】
前述したところは本発明の一実施形態を示したにすぎず、特許請求の範囲において、種々の変更を加えることができる。従って、これらの変形や修正は本発明の範囲に含まれることに留意されたい。例えば、上記実施形態では、第１及び第３の流路変化部１１４ａ及び１１４ｃが流路凹部１１５ａ及び１１５ｃを有すると説明したが、第２の流路変化部１１４ｂも流路凹部を有していてもよい。また、上記実施形態では、エアロゾル粒子捕集用流路１１３が第１の流路変化部１１４ａにおいて２つの流路に分岐していたが、３つ以上の流路に分岐する構成としてもよいし、分岐することなく屈折する構成とすることもできる。さらに、エアロゾル粒子捕集用流路１１３には、３段階の流路変化部１１４ａ、１１４ｂ、１１４ｃを設けていたが、２段階以下、又は４段階以上の流路変化部を設けるようにしてもよい。また、上記実施形態で示したエアロゾル粒子捕集部１１０の部材構成は適宜変更することができ、例えば、上記実施形態で示した複数の部材を１つに組み合わせたり、あるいは分割したりすることが可能である。
【符号の説明】
【００６１】
１、２  バイアルアダプタ
１００、４００  エアロゾル粒子捕集装置
１１０  エアロゾル粒子捕集部
１１０ａ  第１の面
１１０ｂ  第２の面
１１１  下流側外ハウジング
１１２ａ  第１の開口
１１２ｂ  第２の開口
１１３  エアロゾル粒子捕集用流路
１１３ａ、１１３ｂ、１１３ｃ、１１３ｄ  線条流路
１１４ａ  第１の流路変化部
１１４ｂ  第２の流路変化部
１１４ｃ  第３の流路変化部
１１５ａ、１１５ｃ  流路凹部
１１６  捕集材
１１７  底面
１１８ａ、１２３、１３２、１４２  凹部
１１８ｂ  溝部
１１９  係合溝
１２０  上流側ハウジング
１２２、２５０  係合部
１２４  底部
１３０  下流側内ハウジング
１３１  係合凸部
１３３ａ  第１の溝部
１３３ｂ  第２の溝部
１４０  シール部材
１４１、２１２、２２２、２６２、２６３、３４１、４１０  開口
１５０ａ  第１の外壁
１５０ｂ  第２の外壁
２００  バイアルアダプタ本体
２１０  フィルタハウジング
２１１  通気フィルタ
２１３  凸部
２２０  接続ポート
２２１  螺合溝
２２３  弁体
２２４  頭部
２２５  胴部
２２６  先端
２２７  スリット
２３０  アーム部
２４０  本体ハウジング
２５１  爪部
２６０  針部
２６１  先端部
２６５  スロット
２７０  通気路
２８０  薬剤流路
３００  バイアル瓶
３１０  口部
３２０  容器本体
３３０  封止部材
３３１  封止部
３３２  フランジ部
３４０  キャップ
中心軸線  Ａ
【図１】
2016174864.tif 000003
【図２】
2016174864.tif 000004
【図３】
2016174864.tif 000005
【図４】
2016174864.tif 000006
【図５】
2016174864.tif 000007
【図６】
2016174864.tif 000008
【図７】
2016174864.tif 000009